(57)【要約】【課題】既設浴室内に設置され、浴室の改装に用いられる浴室ユニットにおいて、壁貫通設置型給湯風呂釜を取り付けるための開口が、建物躯体の入隅部に設けられていても、この開口を加工することなく、そのまま設置できるようにする。【解決手段】既設浴室の内部に設置される浴室ユニットの壁面を構成した一つの壁面パネル２に、建物の躯体１に予め設けられた開口１ａと連通するように、この開口１ａの前面位置に開口部２ａを形成した。また、この壁面パネル２と直交した側方の壁面パネル３には、前記開口部２ａと連続するように壁面を所定範囲、内方に凹ませて凹陥部３ａを形成することとした。【選択図】　図１
2004143676.tif 000002
【特許請求の範囲】
【請求項１】
入隅部にバランス釜の給排気筒を貫通させるための開口が設けられた既設浴室の内部に設置される改装用の浴室ユニットであって、
この浴室ユニットは、床面に設置される防水パンと、この防水パンの周囲に立設される複数の壁面パネル、および天面を塞ぐ天井パネルとを具備し、かつ、前記複数の壁面パネルのうち、開口の前面に位置した壁面パネルには、その片側を略コ字形に切欠して形成された開口部が設けられ、この壁面パネルに隣接した他の壁面パネルには、その片側に前記開口部に連続する凹陥部が設けられたことを特徴とする浴室ユニット。
【請求項２】
上記開口部は、壁面パネルの切欠個所に枠状の入隅枠プレートを取り付けて形成されたものであることを特徴とする請求項１記載の浴室ユニット。
【請求項３】
上記凹陥部は、壁面パネルの一側を略コ字形に切欠し、この切欠個所に、上面が開放され、かつ周壁の一側が開放された略浅皿状の入隅枠ボックスを取り付けて形成されたものであることを特徴とする請求項１記載の浴室ユニット。
【発明の詳細な説明】
【０００１】
【発明の属する技術分野】
本発明は、バランス釜と称される浴室内設置型の風呂釜が用いられた既設の浴室を改装するための浴室ユニットに関する。
【０００２】
【従来の技術】
従来から既設の浴室内に、壁パネルや天井パネルなどでユニット化された浴室ユニットを構築することにより、浴室の改装をはかるということが行われていた。ここにおいて、タイル貼りなどで仕上げられた旧来の浴室にあっては、図８並びに図９に示すように、浴室内にバランス釜と称される風呂釜２２が設置されていた。この風呂釜２２は、浴槽２１に隣接して配置され、その後側の壁面には、給排気のための開口１ａが、建物の躯体１を貫通するように設けられていた。
【０００３】
一方、近年、給湯風呂釜の小型化がすすみ、建物躯体１に設けられた上記開口１ａを利用して取り付けられるものが開発されている。したがって、このような造り付けの浴室を改装する場合には、まず浴室の内部にパネルや防水パンなどでユニット化された浴室を構築し、そして、図１０に示したように壁面を構成した壁面パネル２３の前記開口１ａを塞ぐ個所に、開口部２３ａを形成し、この開口部２３ａを利用して浴室の内部から壁貫通設置型給湯風呂釜８を、前記開口１ａに挿入して取り付けるということが行われていた。
【０００４】
ここにおいて、上記給湯風呂釜８は、フランジ部９ａを有する接続筒９内に機器本体を挿入して構成されており、したがって、壁面パネル２３への固定は、この接続筒９のフランジ部９ａを、壁面パネル２３の開口部２３ａの周囲にビス止めすることにより行われるようになっていた。（例えば、特許文献１参照。）。
【０００５】
また、建物躯体１に設けられた開口１ａが、入隅部と称される浴室内部の隅角部分に設けられている場合には、図１１に示すように接続筒９のフランジ部９ａが側方の壁面パネル２４と当接し、接続筒９を取り付けることができない事態が生じるが、従来、このような場合には、ハツリ作業などで建物躯体１の開口１ａを、浴室の中央寄りに拡げるということが、現場において適宜、行われていた。
【０００６】
【特許文献１】
実開平６−６９６５８号公報（第６頁、第５図）
【０００７】
【発明が解決しようとする課題】
上述した従来の改装用の浴室ユニットは、接続筒の後部周囲に設けられたフランジ部を壁面パネルにビス止めすることにより、給湯風呂釜を取り付けるようになっていたので、壁面パネルの開口部の周囲にこのフランジ部を取り付けるだけの寸法が必要であった。しかしながら、公団住宅などにおける造りつけの浴室では、バランス釜の給排気用の開口が、建物躯体の入隅部に設けられているケースが多く、その場合は、この開口をハツリ作業などで拡げなくてはならず、作業が大掛かりになると共に、騒音も生じ、さらに作業日数が増え、改装費用も嵩むという問題点があった。
【０００８】
また、防水上の問題からこの種のハツリ作業が行えず、ユニット化された浴室を設置できないケースもあった。
【０００９】
本発明は、これらの問題点を解決し、開口が入隅部寄りに設けられた既設の浴室を容易に改装できる浴室ユニットの提供を目的とする。
【００１０】
【課題を解決するための手段】
上記の課題を解決するために、本発明のうち、請求項１記載の発明は、入隅部にバランス釜の給排気筒を貫通させるための開口が設けられた既設浴室の内部に設置される浴室ユニットを、床面に設置される防水パンと、この防水パンの周囲に立設される複数の壁面パネル、および天面を塞ぐ天井パネルとを具備したものとし、かつ、前記複数の壁面パネルのうち、開口の前面に位置した壁面パネルには、その片側を略コ字形に切欠して形成された開口部を設け、この壁面パネルに隣接した他の壁面パネルには、その片側に前記開口部に連続する凹陥部を設けたことを特徴とする。
【００１１】
請求項２記載の発明は、請求項１記載の発明の構成中、開口部を、壁面パネルの切欠個所に枠状の入隅枠プレートを取り付けて形成されたものと、限定したことを特徴とする。
【００１２】
請求項３記載の発明は、請求項１記載の発明の構成中、凹陥部を壁面パネルの一側を略コ字形に切欠し、この切欠個所に、上面が開放され、かつ周壁の一側が開放された略浅皿状の入隅枠ボックスを取り付けて形成されたものと、限定したことを特徴とする。
【００１３】
【発明の実施の形態】
以下、本発明を図示した実施の形態に基づき詳細に説明する。
【００１４】
まず、本発明の浴室ユニットが設置される対象とするのは、コンクリート製の建物躯体の内部入隅部、即ち、壁面同士が交差した個所の近傍に、内部に設置されたバランス釜の給排気用の開口が設けられた公団住宅などの浴室である。
【００１５】
また、この浴室ユニットは、従来公知のものと同様に、床面に設置される防水用の防水パンと、この防水パンの周囲に立設される複数の壁面パネル、およびこの壁面パネルで形成された空間の天面を塞ぐ天井パネルとで構成され、これらでユニット化された新たな浴室空間を形成するものである。
【００１６】
ここにおいて本発明の浴室ユニットでは、図２に示すように躯体１に設けられた開口１ａの前面に設置される壁面パネル２に、開口１に連続する開口部２ａを形成すると共に、この壁面パネル２に隣接した側方の壁面パネル３の片側に、前記開口部２ａに連続した凹陥部３ａを設けている。
【００１７】
上記開口部２ａは、壁面パネル２の片側を略コ字形に切欠し、この切欠個所に図４に示すように、枠状の入隅枠プレート４をビス６で止めることにより形成されている。
【００１８】
また、上記凹陥部３ａは、図３に示すように壁面パネル３の前記開口部２ａに面した側を略コ字形に切欠し、この切欠個所に、上面が開放され、かつ周壁５ａの片側（図３において右奥側）が開放された略浅皿状の入隅枠ボックス５を取り付けて形成されている。
【００１９】
そして、このようにして形成された開口部２ａと凹陥部３ａの連続した角部分に、図２に示すように入隅枠アングル７を固定し、本発明の浴室ユニットの壁面が完成する。
【００２０】
次に、この開口部２ａから図５に矢印で示すように、壁貫通設置型給湯風呂釜８を建物の躯体１に設けられた開口１ａに挿入する。この時、開口１ａは入隅部に設けられているので、壁貫通設置型給湯風呂釜８の機器本体８ａが収納された接続筒９の後部（図５において左手前側）に設けられた取付固定用のフランジ部９ａが、その側方に位置した他の壁面パネル３と迫り合うおそれがあるが、本発明の浴室ユニットでは、上述したように開口部２ａに向き合った壁面パネル３に凹陥部３ａが設けられているので、フランジ部９ａの一側が図１に示すように、この凹陥部３ａ内に侵入することにより、この壁貫通型給湯風呂釜８の挿入が妨げられることはない。そして、このようにして壁貫通設置型給湯風呂釜８を開口１ａに挿入した後、前記フランジ部９ａを開口部２ａの周囲の入隅枠プレート４にビス止めし、その後、図６に示すように前カバー１０を取り付ける。
【００２１】
以上のようにして、壁貫通設置型給湯風呂釜８を浴室ユニットの壁面に挿入するようにして取り付け、その後、図７に示すように浴槽１１を設置し、図示しない給水・給湯配管などを接続することにより、本発明の浴室ユニットの設置が完了する。
【００２２】
なお、上記凹陥部３ａは、浴槽１１を設置すると、その上部周縁１１ａで外部から視認不可に塞がれることとなるが、万一、浴槽１１との間の隙間が外部に露呈したり、あるいは、この凹陥部３ａを設けた個所の断熱保温効果の低下が気になる場合は、別途、この凹陥部３ａに嵌入可能な入隅枠ボックスカバー（図示せず）を用意し、取り付ければ良い。
【００２３】
このように本発明の浴室ユニットでは、建物躯体１に設けられていた開口１ａをそのまま利用して浴室をユニットバスに改装することができるので、開口１ａを拡げるハツリ作業などが不要で、作業に伴って大きな騒音を生じることがない。よって、騒音対策や粉塵対策を講じる必要がなく、容易迅速に作業が行え、施工日数が短縮されると共に、改装費用も低廉となる。さらにまた、壁貫通型給湯風呂釜８が開口１ａに挿入して取り付けられるので、浴室内が広くなり、大きな浴槽１１の設置が可能となるものである。
【００２４】
なお、上記の実施の形態では、壁面パネル２，３の所定個所を切欠した後、その切欠部分に入隅枠プレート４や入隅枠ボックス５を取り付け、開口部２ａや凹陥部３ａを形成した例を示したが、本発明の浴室ユニットでは、建物躯体１に設けられた開口１ａ側の壁面パネル２に、開口１ａと連続する開口部２ａが設けられ、この壁面パネル２に隣り合った他の壁面パネル３に、この開口部２ａに連続した凹陥部３ａが設けられていれば良く、開口部２ａや凹陥部３ａの構成は、必ずしも図示した実施の形態に限るものではなく、例えば、壁面パネルの所定個所に予め一体的に形成されていても良い。
【００２５】
【発明の効果】
以上説明したように、本発明のうち、請求項１記載の発明は、既設浴室の内部に設置される浴室ユニットの壁面を構成した一つの壁面パネルに、建物の躯体に予め設けられている開口に臨む開口部を設けると共に、この壁面パネルに隣接した他の壁面パネルに、この開口部に連続した凹陥部を設けたので、壁貫通設置型給湯風呂釜を浴室内の最も入隅部寄りに配置することができる。よって、建物躯体の入隅部に開口が設けられた既設浴室であっても、この開口をそのまま利用して、大型の浴槽が設置可能なユニット化された浴室に容易に改装することができる。また、設置に際してハツリ作業や左官工事などを要さないので、大きな騒音を生じるおそれがなく、集合住宅であっても特に騒音対策や粉塵対策を講じる必要がなく、容易に作業が行え、かつ、建物躯体からの水漏れを生じるおそれもない。よって、施工日数が短く、施工費用も低廉になるという効果がある。
【００２６】
請求項２記載の発明は、開口部を壁面パネルの切欠個所に枠状の入隅枠プレートを取り付けて形成することとしたので、開口の位置が異なっていても容易にこの開口に対応する位置に、開口部を形成することができる。また、従来の壁面パネルをそのまま利用でき、特定構造の壁面パネルを準備する必要がないので、コストの上昇も最小限に抑えられるという効果がある。
【００２７】
請求項３記載の発明は、凹陥部を壁面パネルの一側を略コ字形に切欠し、この切欠個所に、周壁の一側が開放された略浅皿状の入隅枠ボックスを取り付けて形成することとしたので、容易に開口部との位置合せをし、必要な個所に凹陥部を形成することができる。また、防水パンの周囲に立設される通常の壁面パネルを加工して形成されるので、製造コストも低廉であるという効果がある。
【図面の簡単な説明】
【図１】本発明に係る浴室ユニットの要部断面図である。
【図２】浴室ユニットの要部斜視図である。
【図３】入隅枠ボックスの取付説明図である。
【図４】入隅枠プレートの取付説明図である。
【図５】壁貫通設置型給湯風呂釜の取付説明図である。
【図６】壁貫通設置型給湯風呂釜の取付完了状態を示した浴室ユニットの要部斜視図である。
【図７】本発明の浴室ユニットの要部断面図である。
【図８】従来の浴室を示した簡略斜視図である。
【図９】図８に示した浴室の要部断面図である。
【図１０】従来例の要部断面図である。
【図１１】他の従来例を示した要部断面図である。
【符号の説明】
１　建物躯体
１ａ　開口
２，３　壁面パネル
２ａ　開口部
３ａ　凹陥部
４　入隅枠プレート
５　入隅枠ボックス
５ａ　周壁
６　ビス
７　入隅枠アングル
８　壁貫通設置型給湯風呂釜
８ａ　機器本体
９　接続筒
９ａ　フランジ部
１０　前カバー
１１　浴槽
【図１】
2004143676.tif 000003
【図２】
2004143676.tif 000004
【図３】
2004143676.tif 000005
【図４】
2004143676.tif 000006
【図５】
2004143676.tif 000007
【図６】
2004143676.tif 000008
【図７】
2004143676.tif 000009
【図８】
2004143676.tif 000010
【図９】
2004143676.tif 000011
【図１０】
2004143676.tif 000012
【図１１】
2004143676.tif 000013